(57)【特許請求の範囲】
【請求項１】
アクセスポイントの探索処理を指示する旨の探索指示情報を生成する探索指示情報生成手段と、
所定時間に対応付けられたトークンを所定数蓄積する容量を有するバッファからなるトークンバケツに、前記トークンを一定時間毎に所定数補充するトークン処理手段と、
前記探索指示情報生成手段によって前記探索指示情報が生成され、前記探索処理を行う所定の探索時間に対応する数の前記トークンが前記トークンバケツに存在する場合に、当該数の前記トークンを前記トークンバケツから取り出すと共に、前記探索指示情報を出力する探索指示情報出力制御手段と、
前記探索指示情報出力制御手段によって出力される前記探索指示情報に基づいて、前記探索処理を行う無線通信手段と
を備える無線端末。
【請求項２】
前記探索指示情報出力制御手段は、前記探索処理を行う所定の探索時間に対応する数の前記トークンが前記トークンバケツに無い場合に、前記探索指示情報を廃棄することを特徴とする請求項１に記載の無線端末。
【請求項３】
前記探索指示情報出力制御手段は、前記探索処理を行う所定の探索時間に対応する数の前記トークンが前記トークンバケツに無い場合に、前記トークン処理手段によって当該数の前記トークンが前記トークンバケツに補充されるまで、前記探索指示情報の出力を保留することを特徴とする請求項１に記載の無線端末。
【請求項４】
アクセスポイントとの通信品質を監視すると共に、当該通信品質に基づいて前記探索処理を要求する旨の探索要求情報を生成する探索要求情報生成手段を更に備え、
前記探索指示情報生成手段は、前記探索要求情報生成手段によって生成される探索要求情報と、前記通信品質とに基づいて、前記探索処理を行う頻度を設定すると共に、当該頻度に応じた時間間隔ごとに前記探索指示情報を生成する
ことを特徴とする請求項１〜３のいずれか１項に記載の無線端末。
【請求項５】
無線端末における待ち受け制御方法であって、
探索指示情報生成手段が、アクセスポイントの探索処理を指示する旨の探索指示情報を生成する探索指示情報生成ステップと、
トークン処理手段が、所定時間に対応付けられたトークンを所定数蓄積する容量を有するバッファからなるトークンバケツに、前記トークンを一定時間毎に所定数補充するトークン処理ステップと、
探索指示情報出力制御手段が、前記探索指示情報生成手段によって前記探索指示情報が生成され、前記探索処理を行う所定の探索時間に対応する数の前記トークンが前記トークンバケツに存在する場合に、当該数の前記トークンを前記トークンバケツから取り出すと共に、前記探索指示情報を出力する探索指示情報出力制御ステップと、
無線通信手段が、前記探索指示情報出力制御手段によって出力される前記探索指示情報に基づいて、前記探索処理を行う無線通信ステップと
を備えることを特徴とする待ち受け制御方法。
【請求項６】
前記探索指示情報出力制御ステップにおいて、前記探索指示情報出力制御手段は、前記探索処理を行う所定の探索時間に対応する数の前記トークンが前記トークンバケツに無い場合に、前記探索指示情報を廃棄することを特徴とする請求項５に記載の待ち受け制御方法。
【請求項７】
前記探索指示情報出力制御手段は、前記探索処理を行う所定の探索時間に対応する数の前記トークンが前記トークンバケツに無い場合に、前記トークン処理手段によって当該数の前記トークンが前記トークンバケツに補充されるまで、前記探索指示情報の出力を保留することを特徴とする請求項５に記載の待ち受け制御方法。
【請求項８】
探索要求情報生成手段が、アクセスポイントとの通信品質を監視すると共に、当該通信品質に基づいて前記探索処理を要求する旨の探索要求情報を生成する探索要求情報生成ステップを更に備え、
前記探索指示情報生成手段は、前記探索要求情報生成手段によって生成される探索要求情報と、前記通信品質とに基づいて、前記探索処理を行う頻度を設定すると共に、当該頻度に応じた時間間隔ごとに前記探索指示情報を生成する
ことを特徴とする請求項５〜７のいずれか１項に記載の待ち受け制御方法。
【請求項９】
無線端末を、
アクセスポイントの探索処理を指示する旨の探索指示情報を生成する探索指示情報生成手段と、
所定時間に対応付けられたトークンを所定数蓄積する容量を有するバッファからなるトークンバケツに、前記トークンを一定時間毎に所定数補充するトークン処理手段と、
前記探索指示情報生成手段によって前記探索指示情報が生成され、前記探索処理を行う所定の探索時間に対応する数の前記トークンが前記トークンバケツに存在する場合に、当該数の前記トークンを前記トークンバケツから取り出すと共に、前記探索指示情報を出力する探索指示情報出力制御手段と、
前記探索指示情報出力制御手段によって出力される前記探索指示情報に基づいて、前記探索処理を行う無線通信手段と、
として機能させる待ち受け制御プログラム。
【請求項１０】
前記探索指示情報出力制御手段は、前記探索処理を行う所定の探索時間に対応する数の前記トークンが前記トークンバケツに無い場合に、前記探索指示情報を廃棄することを特徴とする請求項９に記載の待ち受け制御プログラム。
【請求項１１】
前記探索指示情報出力制御手段は、前記探索処理を行う所定の探索時間に対応する数の前記トークンが前記トークンバケツに無い場合に、前記トークン処理手段によって当該数の前記トークンが前記トークンバケツに補充されるまで、前記探索指示情報の出力を保留することを特徴とする請求項９に記載の待ち受け制御プログラム。
【請求項１２】
無線端末を、
アクセスポイントとの通信品質を監視すると共に、当該通信品質に基づいて前記探索処理を要求する旨の探索要求情報を生成する探索要求情報生成手段として更に機能させ、
前記探索指示情報生成手段は、前記探索要求情報生成手段によって生成される探索要求情報と、前記通信品質とに基づいて、前記探索処理を行う頻度を設定すると共に、当該頻度に応じた時間間隔ごとに前記探索指示情報を生成する
ことを特徴とする請求項９〜１１のいずれか１項に記載の待ち受け制御プログラム。
【発明の詳細な説明】
【０００１】
【発明の属する技術分野】
本発明は、無線端末、待ち受け制御方法及び待ち受け制御プログラムにに関するものである。
【０００２】
【従来の技術】
無線ＬＡＮに代表される近距離無線を行う無線端末においては、接続中のアクセスポイントと通信品質が劣化した場合に、通信品質を良好に保つことが可能なアクセスポイントを探索する探索処理を行う。通信品質を良好に保てる新たなアクセスポイントが探索された場合に、無線端末は、そのアクセスポイントに接続を切り替える処理を行う（例えば、特許文献１）。
【０００３】
【特許文献１】
特開２００２−２６９３１号公報
【０００４】
【発明が解決しようとする課題】
無線端末に備えられる近距離無線を実現する為の無線通信手段は、上記の探索処理が行われる時間において、その動作のために電力を消費する。従来の無線端末は、探索処理の頻度を消費電力の観点から制御しておらず、探索処理が頻繁に行われることによって電力が消費され、無線端末の動作を長い時間維持することができないという問題点を有していた。
【０００５】
本発明は上記問題点を解決するためになされたもので、アクセスポイントの探索処理のために無線通信手段の動作に消費される電力を所定量以下に制御しつつ、探索処理を実現可能な無線端末を提供することを目的としている。
【０００６】
【課題を解決するための手段】
上記課題を解決するため、本発明の無線端末は、アクセスポイントの探索処理を指示する旨の探索指示情報を生成する探索指示情報生成手段と、所定時間に対応付けられたトークンを所定数蓄積する容量を有するバッファからなるトークンバケツに、上記トークンを一定時間毎に所定数補充するトークン処理手段と、上記探索指示情報生成手段によって上記探索指示情報が生成され、上記探索処理を行う所定の探索時間に対応する数の上記トークンが上記トークンバケツに存在する場合に、当該数の上記トークンを上記トークンバケツから取り出すと共に、上記探索指示情報を出力する探索指示情報出力制御手段と、上記探索指示情報出力制御手段によって出力される上記探索指示情報に基づいて、上記探索処理を行う無線通信手段とを備えることを特徴としている。
【０００７】
また、上記課題を解決するため、本発明の待ち受け制御方法は、無線端末における待ち受け制御方法であって、探索指示情報生成手段が、アクセスポイントの探索処理を指示する旨の探索指示情報を生成する探索指示情報生成ステップと、トークン処理手段が、所定時間に対応付けられたトークンを所定数蓄積する容量を有するバッファからなるトークンバケツに、上記トークンを一定時間毎に所定数補充するトークン処理ステップと、探索指示情報出力制御手段が、上記探索指示情報生成手段によって上記探索指示情報が生成され、上記探索処理を行う所定の探索時間に対応する数の上記トークンが上記トークンバケツに存在する場合に、当該数の上記トークンを上記トークンバケツから取り出すと共に、上記探索指示情報を出力する探索指示情報出力制御ステップと、無線通信手段が、上記探索指示情報出力制御手段によって出力される上記探索指示情報に基づいて、上記探索処理を行う無線通信ステップとを備えることを特徴としている。
【０００８】
これらの発明によれば、トークン処理手段は、所定時間に対応付けられたトークンを所定数蓄積可能なトークンバケツに、一定時間毎に所定数のトークンを蓄積する処理を行う。探索要求情報出力制御手段は、探索指示情報生成手段によって探索指示情報が生成され、アクセスポイントの探索処理に要する時間に相当する数のトークンがトークンバケツに存在する場合に、その数のトークンをトークバケツから取り出して、上記の探索指示情報を無線通信手段に出力する。このように無線通信手段への探索指示情報の出力が管理される結果、無線通信手段がアクセスポイントの探索処理のために動作している時間の平均は、トークンバケツに一定時間ごとに補充されるトークンの数に相当する時間に保たれる。したがって、無線端末はアクセスポイントの探索処理のために無線通信手段の動作に消費される電力を所定量以下に制御しつつ、探索処理を実行することができる。
【０００９】
また、本発明の無線端末においては、上記探索指示情報出力制御手段は、上記探索処理を行う所定の探索時間に対応する数の上記トークンが上記トークンバケツに無い場合に、上記探索指示情報を廃棄することを特徴としても良く、上記トークン処理手段によって当該数の上記トークンが上記トークンバケツに補充されるまで、上記探索指示情報の出力を保留することを特徴としても良い。
【００１０】
また、本発明の待ち受け制御方法においては、上記探索指示情報出力制御ステップにおいて、上記探索指示情報出力制御手段は、上記探索処理を行う所定の探索時間に対応する数の上記トークンが上記トークンバケツに無い場合に、上記探索指示情報を廃棄することを特徴としても良く、上記トークン処理手段によって当該数の上記トークンが上記トークンバケツに補充されるまで、上記探索指示情報の出力を保留することを特徴としても良い。
【００１１】
また、本発明の無線端末においては、アクセスポイントとの通信品質を監視すると共に、当該通信品質に基づいて上記探索処理を要求する旨の探索要求情報を生成する探索要求情報生成手段を更に備え、上記探索指示情報生成手段は、上記探索要求情報生成手段によって生成される探索要求情報と、上記通信品質とに基づいて、上記探索処理を行う頻度を設定すると共に、当該頻度に応じた時間間隔ごとに上記探索指示情報を生成することを特徴としても良い。
【００１２】
また、本発明の待ち受け制御方法においては、探索要求情報生成手段が、アクセスポイントとの通信品質を監視すると共に、当該通信品質に基づいて上記探索処理を要求する旨の探索要求情報を生成する探索要求情報生成ステップを更に備え、上記探索指示情報生成手段は、上記探索要求情報生成手段によって生成される探索要求情報と、上記通信品質とに基づいて、上記探索処理を行う頻度を設定すると共に、当該頻度に応じた時間間隔ごとに上記探索指示情報を生成することを特徴としても良い。
【００１３】
これらの発明によれば、アクセスポイントとの通信品質に応じた時間間隔で探索指示情報が生成されるので、無線端末は更に、通信品質に応じてアクセスポイントの探索処理の頻度を制御することができる。
【００１４】
また、上記課題を解決するため、本発明の待ち受け制御プログラムは、無線端末を、アクセスポイントの探索処理を指示する旨の探索指示情報を生成する探索指示情報生成手段と、所定時間に対応付けられたトークンを所定数蓄積する容量を有するバッファからなるトークンバケツに、上記トークンを一定時間毎に所定数補充するトークン処理手段と、上記探索指示情報生成手段によって上記探索指示情報が生成され、上記探索処理を行う所定の探索時間に対応する数の上記トークンが上記トークンバケツに存在する場合に、当該数の上記トークンを上記トークンバケツから取り出すと共に、上記探索指示情報を出力する探索指示情報出力制御手段と、上記探索指示情報出力制御手段によって出力される上記探索指示情報に基づいて、上記探索処理を行う無線通信手段と、として機能させることを特徴としている。
【００１５】
この発明による待ち受け制御プログラムによれば、無線端末を上述した探索指示情報生成手段と、トークン処理手段と、探索指示情報出力制御手段と、無線通信手段と、として機能させることができる。したがって、この待ち受け制御プログラムによって動作する無線端末は、アクセスポイントの探索処理のために無線通信手段の動作に消費される電力を所定量以下に制御しつつ、探索処理を実行することができる。
【００１６】
また、本発明の待ち受け制御プログラムにおいては、上記探索指示情報出力制御手段は、上記探索処理を行う所定の探索時間に対応する数の上記トークンが上記トークンバケツに無い場合に、上記探索指示情報を廃棄することを特徴としても良く、上記トークン処理手段によって当該数の上記トークンが上記トークンバケツに補充されるまで、上記探索指示情報の出力を保留することを特徴としても良い。
【００１７】
また、本発明の待ち受け制御プログラムは、無線端末を、アクセスポイントとの通信品質を監視すると共に、当該通信品質に基づいて上記探索処理を要求する旨の探索要求情報を生成する探索要求情報生成手段として更に機能させ、上記探索指示情報生成手段は、上記探索要求情報生成手段によって生成される探索要求情報と、上記通信品質とに基づいて、上記探索処理を行う頻度を設定すると共に、当該頻度に応じた時間間隔ごとに上記探索指示情報を生成することを特徴としても良い。
【００１８】
この発明による待ち受け制御プログラムは、無線端末を探索要求情報生成手段として更に機能させ、上記の探索指示情報生成手段はアクセスポイントとの通信品質に応じた時間間隔で探索指示情報を生成するので、無線端末は更に通信品質に応じてアクセスポイントの探索処理の頻度を制御することができる。
【００１９】
【発明の実施の形態】
本発明の実施形態にかかる無線端末１０について添付の図面を参照して説明する。図１は、無線端末１０が利用される通信システム１を示すブロック図である。図１に示すように、通信システム１においては、複数のアクセスポイント２が、地理的に分散されて配置されている。各々のアクセスポイント２は、無線通信可能な通信エリア４を形成している。アクセスポイント２は、自己が形成する通信エリア４に位置する無線端末１０との通信を確立することによって、無線端末１０からの通信を中継する。
【００２０】
次に、無線端末１０について詳細に説明する。無線端末１０は、無線ＬＡＮに例示される近距離無線による通信を行う。無線端末１０は、物理的には、ＣＰＵ（中央処理装置）、メモリといった記憶装置、キーボートやプッシュボタンといった入力装置、ディスプレイといった表示装置、アンテナ等を備えて構成される。無線端末１０としては、携帯電話といった移動通信端末、ＰＤＡ（Ｐｅｒｓｏｎａｌ  Ｄｉｇｉｔａｌ  Ａｓｓｉｓｔａｎｔｓ）といった携帯情報端末など近距離無線による情報通信可能な機器が広く適用可能である。
【００２１】
次に、無線端末１０の機能的な構成について説明する。図２は、無線端末１０の機能的な構成を示すブロック図である。無線端末１０は、機能的には、探索要求情報生成部（探索要求情報生成手段）１２と、探索指示情報生成部（探索指示情報生成手段）１４と、トークン処理部（トークン処理手段）１６と、探索指示情報出力制御部（探索指示情報出力制御手段）１８と、無線通信部（無線通信手段）２０とを備えて構成される。
【００２２】
探索要求情報生成部１２は、アクセスポイント２との通信品質を監視する。この通信品質とは、例えばアクセスポイント２から送信される電波の受信レベルが利用できる。探索要求情報生成部１２は、この通信品質が劣化した場合に、良好な品質で通信を実現可能なアクセスポイント２を探索する探索処理を要求する旨の探索要求情報を生成する。探索要求情報生成部１２は、この探索要求情報を探索指示情報生成部１４に出力する。
【００２３】
探索指示情報生成部１４は、探索要求情報生成部１２から出力される探索要求情報を受け取る。探索指示情報生成部１４は、この探索要求情報を受け取ると、探索要求情報生成部１２によって取得されている上記の通信品質に応じて、探索処理の頻度を設定する。探索処理の頻度は、通信品質の良否によって設定することができる。通信品質が悪い場合は、探索処理を行う時間間隔を短くし、通信品質が比較的良好な場合には、探索処理の時間間隔を長くすることができる。探索指示情報生成部１４は、設定した探索処理の頻度、すなわち時間間隔で、探索指示情報を生成して探索処理を指示する旨の探索指示情報を探索指示情報出力制御部１８に出力する。
【００２４】
次に、図３を参照してトークン処理部１６について説明する。図３は、トークン処理部１６による処理の概念を示す図である。トークン処理部１６は、所定の時間に対応付けられたトークンを所定数蓄積可能な容量のバッファからなるトークンバケツ３０に、トークン３２を一定時間毎に所定数補充する処理を行う。トークン処理部１６は、トークンを補充することによってトークンバケツ３０の蓄積容量を超える場合には、蓄積容量を超えるトークンを破棄する。
【００２５】
図１に戻り、探索指示情報出力制御部１８は、探索指示情報生成部１４によって出力される探索指示情報を受け取り、無線通信部２０にその探索指示情報を出力するか否かを制御する。図３に示す参照符号３８の制御部は、探索指示情報出力制御部１８に対応するものである。図３に示すように、探索指示情報出力制御部１８は、探索指示情報生成部１４によって出力される探索指示情報を入力３６として受け取り、探索処理１回当たりに要する時間に相当するトークンの数を導出する。探索指示情報出力制御部１８は、トークンバケツ３０に導出した数以上のトークンが蓄積されている場合には、その数のトークン４０を取り出して、上記の探索指示情報を出力４２として、無線通信部２０に出力する。一方、トークンバケツ３０に、導出された上記の数のトークンが残っていない場合に、探索指示情報出力制御部１８は、上記の探索指示情報を廃棄する。なお、探索指示情報出力制御部１８は、上記のように導出された数のトークンがトークンバケツ３０に残っていない場合には、トークンバケツ３０にその数のトークンが補充されるまで待って、探索指示情報を無線通信部２０に出力しても良い。
【００２６】
ここで、上述した探索処理に要する時間は、無線端末１０が採用する探索処理に応じて決定される。無線端末１０が採用する探索処理は、無線端末１０がアクセスポイント２から送信されるビーコン信号を受信することによってアクセスポイント２を探索するパッシブスキャニングであっても良く、無線端末１０からポーリングリクエストを送出することによってアクセスポイント２から送信されるポーリングレスポンスに基づいてアクセスポイントを探索するアクティブスキャニングであっても良い。
【００２７】
無線通信部２０は、アクセスポイント２との通信を行う。無線通信部２０は、探索指示情報出力制御部１８によって探索指示情報が出力された場合に、上述の探索処理を行う。無線通信部２０によって探索処理が行われると、無線端末１０は良好な通信を維持できるアクセスポイント２に接続を切り替えるハンドオーバ処理を行う。
【００２８】
以下、本実施形態にかかる１の動作について説明し、併せて本発明の実施形態にかかる待ち受け制御方法について説明する。図４は、実施形態にかかる待ち受け制御方法のフローチャートである。この待ち受け制御方法では、トークン処理部１６が、所定数のトークン３２をトークンバケツ３０に蓄積する処理を並列して行っているものとする。
【００２９】
この処理状態において、まず、探索要求情報生成部１２が、アクセスポイント２と無線端末１０との通信品質を監視し、通信品質が劣化している場合に、探索要求情報を生成する（ステップＳ１）。探索要求情報生成部１２によって探索要求情報が生成されると、探索指示情報生成部１４は、上記の通信品質に応じて、探索処理を行う頻度を設定する（ステップＳ２）。探索指示情報生成部１４は、上記の頻度に応じた時間間隔で上述の探索指示情報を生成し、この探索指示情報を探索指示情報出力制御部１８に出力する（ステップＳ３）。探索指示情報出力制御部１８は、探索指示情報生成部１４によって探索指示情報が出力されると、探索処理に要する時間をトークンの数に変換し（ステップＳ４）、トークンバケツ３０にその数のトークンが蓄積されているか否かを判断する（ステップＳ５）。探索指示情報出力制御部１８は、トークンバケツ３０に上記の数のトークンが蓄積されていない場合には、探索指示情報を廃棄する（ステップＳ６）。なお、上述したように、探索指示情報出力制御部１８は、探索指示情報を廃棄せずに、トークンバケツ３０に上記の数のトークンが補充されるまで待って、探索指示情報を無線通信部２０に出力しても良い。
【００３０】
一方、探索指示情報出力制御部１８は、トークンバケツ３０に上記の数のトークンが蓄積されている場合には、トークンバケツ３０からその数のトークンを取り出し（ステップＳ７）、探索指示情報を無線通信部２０に出力する（ステップＳ８）。無線通信部２０は、探索指示情報出力制御部１８から探索指示情報が出力されると、探索処理を行う（ステップＳ９）。
【００３１】
次に、無線端末１０に上述した待ち受け制御を実現させる待ち受け制御プログラム１００について説明する。図５は、待ち受け制御プログラム１００のモジュール構成を示す図である。待ち受け制御プログラム１００は、処理を統括するメインモジュール１０１と、探索要求情報生成モジュール１０２と、探索指示情報生成モジュール１０４と、トークン処理モジュール１０６と、探索指示情報出力制御モジュール１０８と、無線通信モジュール１１０とを備えて構成される。待ち受け制御プログラム１００では、探索要求情報生成モジュール１０２が上記の探索要求情報生成部１２の機能を、探索指示情報生成モジュール１０４が上記の探索指示情報生成部１４の機能を、トークン処理モジュール１０６が上記のトークン処理部１６の機能を、探索指示情報出力制御モジュール１０８が探索指示情報出力制御部１８の機能を、無線通信モジュール１１０が上記の無線通信部２０の機能を、それぞれ無線端末１０に実現させる。
【００３２】
以下、本実施形態にかかる無線端末１０の作用及び効果を説明する。無線端末１０においては、所定時間に対応付けられたトークンを所定数蓄積可能なトークンバケツ３０に、一定時間毎に所定数のトークンを蓄積する処理がトークン処理部１６によって行われる。探索指示情報出力制御部１８は、探索処理に要する時間に相当する数のトークンがトークンバケツ３０に存在する場合には、上記の探索指示情報を無線通信部２０に出力する。一方、探索処理に要する時間に相当する数のトークンがトークンバケツ３０に存在しない場合には、探索指示情報出力制御部１８は、上記の探索指示情報を廃棄する。なお、上述したように、探索指示情報出力制御部１８は探索指示情報を廃棄せず、トークンバケツ３０に必要な数のトークンが補充されるまで待って、無線通信部２０に探索指示情報を出力しても良い。このように無線通信部２０への探索指示情報の出力が管理される結果、アクセスポイントの探索処理のために無線通信部２０が動作している時間の平均は、トークンバケツ３０に一定時間ごとに補充されるトークンの数に相当する時間に保たれる。したがって、無線端末１０は、アクセスポイントの探索処理のために無線通信部２０の動作に消費される電力を所定量以下に制御しつつ、探索処理を実行することができる。
【００３３】
また、探索指示情報生成部１４が、探索要求情報生成部１２によって監視されるアクセスポイント２との通信品質に応じて探索指示情報を生成する時間間隔を制御するので、無線端末１０は更に、アクセスポイント２との通信品質に応じてアクセスポイントの探索処理の頻度を制御することができる。
【００３４】
【発明の効果】
以上説明したように、本発明によれば、無線端末は、アクセスポイントの探索処理のために無線通信手段の動作に消費される電力を所定量以下に制御しつつ、探索処理を実行することができる。
【図面の簡単な説明】
【図１】図１は、実施形態にかかる無線端末が利用される通信システムを示すブロック図である。
【図２】図２は、実施形態にかかる無線端末の機能的な構成を示すブロック図である。
【図３】図３は、トークン処理の概念を説明する図である。
【図４】図４は、実施形態にかかる待ち受け制御方法のフローチャートである。
【図５】図５は、実施形態にかかる待ち受け制御プログラムのモジュール構成を示す図である。
【符号の説明】
１０…無線端末、１２…探索要求情報生成部、１４…探索指示情報生成部、１６…トークン処理部、１８…探索指示情報出力制御部、２０…無線通信部、３０…トークンバケツ
【図１】
0003713489.tif 000002
【図２】
0003713489.tif 000003
【図３】
0003713489.tif 000004
【図４】
0003713489.tif 000005
【図５】
0003713489.tif 000006